(57)【要約】【課題】幅狭の釣糸案内部と、幅広の開口部を備えた釣糸案内体を有する魚釣用リールにおいて、釣糸巻き取り時に、釣糸が幅狭の釣糸案内部から幅広の開口部へ抜けないようにして巻回状態の安定化が図れる魚釣用リールを提供する。【解決手段】魚釣用リールは、スプール５Ａから繰り出される釣糸を挿通させる釣糸挿通部６０Ａと、左右側板間に配設されるウォームシャフトと係合する本体部６０Ｂとを備えた釣糸案内体６０を有する。釣糸挿通部６０Ａは、釣糸巻き取り状態で釣糸をスプール５Ａに案内する左右方向に幅狭の釣糸案内部６７と、釣糸放出状態で釣糸の放出抵抗を軽減する左右方向に幅広の開口部６８と、釣糸を巻き取る際、幅狭の釣糸案内部６７から幅広の開口部６８への釣糸の抜けを規制する糸抜け防止規制部９０と、を有する。【選択図】  図１
2015109818.tif 000002
【特許請求の範囲】
【請求項１】
リール本体の左右側板間に回転自在に支持されたスプールと、
前記スプールから繰り出される釣糸を挿通させる釣糸挿通部と、前記左右側板間に配設されるウォームシャフトと係合する本体部とを備え、前記ウォームシャフトが回転駆動することにより前記左右側板間で往復移動する釣糸案内体と、
前記スプールを釣糸巻き取り状態と釣糸放出状態に切り換えるクラッチ機構と、
を有する魚釣用リールにおいて、
前記釣糸挿通部は、釣糸巻き取り状態で釣糸をスプールに案内する左右方向に幅狭の釣糸案内部と、釣糸放出状態で釣糸の放出抵抗を軽減する左右方向に幅広の開口部と、釣糸を巻き取る際、前記幅狭の釣糸案内部から前記幅広の開口部への釣糸の抜けを規制する糸抜け防止規制部と、を有することを特徴とする魚釣用リール。
【請求項２】
前記幅狭の釣糸案内部は、前記左右方向に幅広の開口部の中央から下方に向けて延出する一対の上下壁の隙間によって形成されており、
前記糸抜け規制部は、前記上下壁の上端位置と下端位置との間に、スプール側に向けてくびれを形成することで構成されることを特徴とする請求項１に記載の魚釣用リール。
【請求項３】
前記糸抜け規制部は、前記上下壁の上端位置と下端位置との間で、スプール側に向けて湾曲したくびれで構成されることを特徴とする請求項２に記載の魚釣用リール。
【請求項４】
前記釣糸案内体は、前記クラッチ機構のＯＮ／ＯＦＦ動作に連動して、スプールの前方で釣糸巻き取り状態と釣糸放出状態となるように回動可能に支持されていることを特徴とする請求項１から３のいずれか１項に記載の魚釣用リール。
【請求項５】
前記釣糸挿通部と本体部は、着脱可能に一体化されていることを特徴とする請求項１から４のいずれか１項に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するように、レベルワインド装置が配設されている。このレベルワインド装置は、一方の側板側に回転可能に配設されたハンドルの巻き取り操作に連動して、スプール前方で左右に往復動する釣糸案内体を備えており、前記釣糸案内に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。このような問題を解決するために、例えば、特許文献１には、釣糸案内体の釣糸案内部の形状を、上部では左右方向に横長形状にして釣糸放出時における幅広の開口部とし、下部では中央を幅狭の釣糸案内用の溝部として釣糸巻き取り時の釣糸案内部とした構成が開示されている。そして、釣糸案内体の前後方向の近傍に、クラッチの切換操作に連動して上下方向に移動可能なピラーを配設し、釣糸放出時では、ピラーを上方に移動させて釣糸を幅広の開口釣に位置させて糸抵抗を軽減し、釣糸巻き取り状態では、ピラーを下方に移動させて釣糸を幅狭の溝部（釣糸案内部）に案内しスプールに巻回される糸巻状態を向上するようにしている。
【先行技術文献】
【特許文献】
【０００４】
【特許文献１】特開２０１２−７０６８３号
【発明の概要】
【発明が解決しようとする課題】
【０００５】
上記した構成では、釣糸を巻き取る際、釣糸は、幅狭の溝部によって案内されてスプールへの巻き取り状態の安定化が図れる。実釣時において、釣竿のしなり方向や仕掛けに掛かった魚の挙動、負荷等によっては、張力のかかった釣糸が左右方向に角度を有した斜めになった横向きの状態で釣糸が幅狭の釣糸案内部から幅広の開口部に抜けることがあり、この状態では、スプールに巻回される糸巻状態の安定化が図れなくなってしまう。すなわち、このように釣糸が幅広の開口部に抜けた状態で釣糸を巻き取り操作すると、巻回される釣糸の状態が安定せず、部分的に重なった状態でスプールに巻き取られる等、糸巻状態が悪くなってしまう。この結果、次の釣糸放出時において、偏って巻かれた部分が放出抵抗となってしまい、飛距離が低下したり、釣糸の巻回可能な糸巻容量が変化するという問題が生じる。
【０００６】
本発明は、上記した問題に着目してなされたものであり、幅狭の釣糸案内部と、幅広の開口部を備えた釣糸案内体を有する魚釣用リールにおいて、釣糸巻き取り時に、釣糸が幅狭の釣糸案内部から幅広の開口部へ抜けないようにして巻回状態の安定化が図れる魚釣用リールを提供することを目的とする。
【課題を解決するための手段】
【０００７】
上記した目的を達成するために、本発明に係る魚釣用リールは、リール本体の左右側板間に回転自在に支持されたスプールと、前記スプールから繰り出される釣糸を挿通させる釣糸挿通部と、前記左右側板間に配設されるウォームシャフトと係合する本体部とを備え、前記ウォームシャフトが回転駆動することにより前記左右側板間で往復移動する釣糸案内体と、前記スプールを釣糸巻き取り状態と釣糸放出状態に切り換えるクラッチ機構と、を有しており、前記釣糸挿通部は、釣糸巻き取り状態で釣糸をスプールに案内する左右方向に幅狭の釣糸案内部と、釣糸放出状態で釣糸の放出抵抗を軽減する左右方向に幅広の開口部と、釣糸を巻き取る際、前記幅狭の釣糸案内部から前記幅広の開口部への釣糸の抜けを規制する糸抜け防止規制部と、を有することを特徴とする。
【０００８】
上記した構成の魚釣用リールによれば、釣糸巻き取り時に釣糸が幅狭の釣糸案内部に位置している状態において釣糸が左右方向に変動しても、釣糸は、糸抜け防止規制部によって幅広の開口部へ移動することが防止される。すなわち、釣糸を巻き取る際、釣糸は、常に幅狭の釣糸案内部に位置しているため、スプールに対する釣糸の巻回状態が偏ることなく安定化され、次の釣糸放出時において、偏って巻かれた部分が放出抵抗となって飛距離が低下するようなことはない。
【発明の効果】
【０００９】
本発明によれば、幅狭の釣糸案内部と、幅広の開口部を備えた釣糸案内体を有する魚釣用リールにおいて、釣糸巻き取り時に、釣糸が幅狭の釣糸案内部から幅広の開口部へ抜けることがなくなり、スプールに対する巻回状態の安定化が図れるようになる。
【図面の簡単な説明】
【００１０】
【図１】本発明に係る魚釣用リールの一実施形態を示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿った断面図であり、釣糸案内体が釣糸巻き取り状態（クラッチＯＮ状態）にあるときを示す図。
【図６】図１に示す魚釣用リールのＡ−Ａ線に沿った断面図であり、釣糸案内体が釣糸放出状態（クラッチＯＦＦ状態）にあるときを示す図。
【図７】釣糸案内体を拡大して示す斜視図。
【図８】図７に示す釣糸案内体を分解した状態を示す斜視図。
【図９】図７に示す釣糸案内体の正面図。
【図１０】釣糸が釣糸案内体の幅狭の釣糸案内部に位置している状態で、横向きに負荷を受けたときの釣糸案内体部分の平面図。
【図１１】釣糸が釣糸案内体の幅狭の釣糸案内部に位置している状態で、横向きに負荷を受けたときの釣糸案内体部分の斜視図。
【発明を実施するための形態】
【００１１】
以下、図面を参照しながら本発明に係る魚釣用リールについて説明する。
図１から図３は、本発明に係る魚釣用リールの一実施形態を示す図であり、図１は、釣糸案内体部分を露出させた平面図、図２は、クラッチ機構の動力伝達部分の構成を示す側面図（クラッチＯＮ状態）、そして、図３は、クラッチ機構の動力伝達部分の構成を示す側面図（クラッチＯＦＦ状態）である。なお、以下において、前後方向、左右方向、及び上下方向は、図１および図２で示す方向で定義する。
【００１２】
本実施形態に係る魚釣用リールは、左右のフレーム２ａ，２ｂを左右カバー３ａ，３ｂで覆った左右側板１Ａ，１Ｂを備えたリール本体１を有している。前記リール本体には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。さらに、前記左右側板間には、スプール５Ａに対して上方側に、指を載置可能なサムレスト１Ｄが設けられている。
【００１３】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール５Ａの後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり、釣糸放出状態）に切り換えるようになっている。なお、クラッチＯＦＦ状態からクラッチＯＮ状態への復帰は、後述する自動復帰機構３０によってハンドル８を回転操作することで行うことが可能となっている。
【００１４】
また、左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。この場合、釣糸案内体６０は、後述するように、実際に釣糸が挿通する部分（釣糸挿通部６０Ａ）と、レベルワインド装置を構成するウォームシャフト（螺軸）に係合する本体部（保持部）６０Ｂとを備えており、本体部６０Ｂ、詳細には、本体部６０Ｂに組み込まれている摺動子（係合ピン）がウォームシャフトに係合することで左右に往復動される。
【００１５】
前記駆動力伝達機構１０は、ハンドル８が固定されたハンドル軸８ａにドラグ機構と関連して回転可能に装着された駆動歯車１１と、この駆動歯車１１に噛合するピニオン１２とを備えている。前記ピニオン１２は、スプール軸５と同軸上に設置されており、スプール軸５（別体のスプール軸であっても良い）に沿って軸方向に移動可能となっている。また、ピニオン１２の外周には、円周溝１２ａが形成されており、この円周溝１２ａに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００１６】
前記クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００１７】
前記クラッチプレート２５の表面には、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨーク２２は、各支持ピンに配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸の端部に形成されている係合部に嵌合してクラッチＯＮ状態となっている。
【００１８】
前記クラッチプレート２５は、操作部材２１が、図２の矢印に示すように押下げ操作されると反時計回り方向に回動され、前記カム面２６、及びヨーク２２を介して、ピニオン１２をスプール軸の端部に形成されている係合部から離脱させ、図３に示すように、クラッチＯＦＦ状態に切り換える。なお、この状態は、前記振り分けバネ２３によって保持される。
【００１９】
また、前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図３に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持する。なお、クラッチの復帰は、前記操作部材２１を押し上げ操作しても行うことが可能である。
【００２０】
前記スプール５Ａの前方側の左右側板間には、前記レベルワインド装置５０が配置されている。以下、レベルワインド装置５０の構成について、図４から図９を併せて参照しながら説明する。なお、これらの図において、図４は、クラッチプレートと釣糸案内体を回動させる回動プレートとの連結部分の構造を示す断面図、図５は、図１に示す魚釣用リールのＡ−Ａ線に沿った断面図であり、釣糸案内体が釣糸巻き取り状態（クラッチＯＮ状態）にあるときを示す図、図６は、釣糸案内体が釣糸放出状態（クラッチＯＦＦ状態）にあるときを示す図、図７は、釣糸案内体を拡大して示す斜視図、図８は、図７に示す釣糸案内体を分解した状態を示す斜視図、そして、図９は、図７に示す釣糸案内体の正面図である。
【００２１】
前記レベルワインド装置５０は、スプール５Ａに巻回された釣糸Ｓを挿通させる釣糸案内体６０を備えており、この釣糸案内体６０は、軸受５２（図４参照）を介して左右側板間に回転可能に支持され、前記駆動力伝達機構１０を介して回転可能に駆動されるウォームシャフト（螺軸）５１によって、左右往復駆動されるよう構成されている。すなわち、前記ウォームシャフト５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記ウォームシャフト５１は、連結ギア及び入力ギア５３を介してハンドル８の回転駆動と同期して回転駆動されるようになっている。
【００２２】
前記ウォームシャフト５１は、左右側板間に回動可能に保持される管状体（筒体）５５内に収容された状態となっており、前記管状体５５の外面には、軸方向に延出する長孔５５ａが形成され、前記ウォームシャフト５１の表面に形成された螺旋溝５１ａを軸方向に沿って部分的に露出させている。また、前記釣糸Ｓを挿通させる釣糸案内体６０は、釣糸が挿通する釣糸挿通部６０Ａと、本体部６０Ｂを一体的に備えており、前記本体部６０Ｂが前記管状体５５を囲繞するように、配置、形成されている。
【００２３】
前記本体部６０Ｂは、軽量化が図れる材料、例えば、樹脂材によって一体形成されており、前方側に向けて突出形成された突起部６１ａ内に摺動子６２を保持している。この摺動子６２は、突起部６１ａに嵌合される袋ナット６３によって、前記本体部６０Ｂに対して固定される。また、本体部６０Ｂには、挿通孔６１ｂが形成されており、前記管状体５５が挿通されて、前記摺動子６２が管状体５５の長孔５５ａを介して螺旋溝５１ａと係合される。すなわち、前記釣糸案内体６０は、ウォームシャフト５１の回転によって、螺旋溝５１ａと摺動子６２との係合関係によって、軸方向に沿って移動することが可能となっている。
【００２４】
また、前記釣糸案内体６０は、ウォームシャフト５１が回転した際、螺旋溝５１ａと摺動子６２との係合関係によって軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、本体部６０Ｂに一体形成された係合部６１ｃを係合させることで、回り止めを果たしている。具体的には、回り止め部５５ｂは、管状体５５の外周に、軸方向に延出する突起（図５，図６に示すように、１８０°間隔で一対設けられている）として構成されており、係合部６１ｃは、そのような突起が入り込むように、前記挿通孔６１ｂに沿って延出し１８０°間隔で一対設けられた凹部として構成されている。
【００２５】
上記のように、ウォームシャフト５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００２６】
また、釣糸案内体６０は、前記ウォームシャフト５１が回転駆動されると、摺動子６２を介して左右側板間で往復駆動されると共に、本実施形態では、上述したクラッチ機構２０のＯＮ／ＯＦＦに連動して釣糸巻き取り状態と釣糸放出状態との間で切り換え可能に支持されている。具体的には、釣糸案内体６０は、スプール５Ａの前方で前後方向に回動可能に支持されており、前記管状体５５を回動駆動することで、釣糸案内体６０は、釣糸巻き取り状態と釣糸放出状態との間で回動されるようになっている。
【００２７】
ここでクラッチ機構２０から管状体５５への動力伝達経路について具体的に説明する。
前記クラッチプレート２５には、リール本体の前方側に向けて突出する突片２５ｂが形成されており、その先端には、右フレーム側に向けて突出する係合突起２５ｃが一体形成されている。一方、右フレーム２ｂには、前記ウォームシャフト５１が支持される部分に回動プレート５９が保持されており、前記管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００２８】
前記回動プレート５９は、前記ウォームシャフト５１を回転可能に支持する軸受５２の外輪と右フレーム２ｂとの間で回動可能に支持されており、右フレーム２ｂの外面側に沿って、前記クラッチプレート２５の突片２５ｂと係合する連結片５９ｂが形成されている。そして、連結片５９ｂには、長孔５９ｃが形成されており、この長孔５９ｃに、前記クラッチプレート２５の突片２５ｂの係合突起２５ｃが遊挿されることで、回動プレート５９は、図２及び図３に示すように、クラッチプレート２５の回動に伴ってウォームシャフト５１の軸芯を中心に回動されるようになっている。したがって、回動プレート５９は、振り分けバネ２３によって、釣糸巻き取り状態と釣糸放出状態との間で振り分け保持されるクラッチプレート２５と共に、２つの位置で切り換えられるようになっている。
【００２９】
前記釣糸案内体６０は、回動プレート５９を介して、管状体５５が回動駆動されることで、スプールの前方において、前後方向に回動駆動される。ここで、釣糸案内体６０を構成する釣糸挿通部６０Ａの構成について具体的に説明する。
【００３０】
釣糸挿通部６０Ａは、スプール５Ａからの釣糸Ｓを挿通させる部分であり、ＳＵＳ、チタン等の釣糸抵抗が少ない材料によるフレーム体６０Ｆとして一体形成されている。具体的に、本実施形態の釣糸挿通部６０Ａは、左右方向に幅狭の釣糸案内部６７と、その釣糸案内部６７の上方側で、略対称となるように左右方向に拡がる幅広の開口部６８とを備えており、釣糸案内部６７は、開口部６８の下部中央位置から下方に向けて延出した一対の上下壁６７ａの隙間によって形成されている（釣糸案内部６７は、上下方向に延出する幅狭の細溝状となっている）。
【００３１】
すなわち、前記開口部６８の下側中央に形成される左右方向に幅狭となった釣糸案内部６７は、そこに入り込んだ釣糸Ｓの左右方向のブレを防止して、スプール５Ａに対して、安定して釣糸を平行巻きする機能（糸巻状態を向上する機能）を有し、釣糸案内部６７の上方で左右方向に拡がる幅広の開口部６８は、釣糸放出時に釣糸との接触を抑制して、糸抵抗を軽減する機能（仕掛けの放出性を向上する機能）を有する。
【００３２】
前記開口部６８は、釣糸放出状態となったときの正面視（挿通される釣糸Ｓに沿って前方から見た正面視）で、左右方向に拡がる略楕円形状となるように形成されており、その両サイド壁は、開口部６８の略中央の下部に形成される釣糸案内部６７に向けて傾斜して釣糸Ｓを案内する傾斜案内面６８ａとなっている。
【００３３】
前記開口部６８、及び釣糸案内部６７を有するフレーム体６０Ｆは、釣糸放出状態で側面視した際、前後方向に対して傾斜した状態（後方側に向けて次第に立ち上がる形状）となっており、開口部６８を形成する上壁６８ｂは、釣糸放出状態では、前後方向に沿った状態となって、可能な限り広い開口を確保できるようになっている（図６参照）。したがって、開口部６８を形成する前後方向に沿った上壁６８ｂの後端縁６９は、釣糸放出状態から釣糸巻き取り状態に回動した際、開口部６８内に挿通されている釣糸Ｓに対して、上側から当接できる位置関係となっており、釣糸Ｓを規制する規制部としての機能を有する（以下、後端縁を規制部６９と称する）。
【００３４】
なお、規制部６９は、フレーム体６０Ｆとして一体形成される部分であり、釣糸案内体６０が前記クラッチ機構２０に連動して、釣糸放出状態から釣糸巻き取り状態に回動した状態で正面視した際、前記釣糸案内部６７の上下長さの範囲内となるような配置関係となっていれば良い。すなわち、このような配置関係となっていれば、釣糸案内体６０が、釣糸放出状態から釣糸巻き取り状態に回動すると、開口部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００３５】
前記釣糸挿通部６０Ａには、釣糸を巻き取る際、釣糸案内部６７から開口部６８への釣糸の抜けを規制する糸抜け防止規制部９０が設けられている。すなわち、釣糸巻き取り時では、釣糸Ｓは、魚とのやり取り等、釣竿の操作によって、図１に示すような前後方向に向かないことがあるが、このような状況下においても、糸抜け防止規制部９０によって釣糸Ｓが開口部６８へ移動しないようにしている。本実施形態では、このような糸抜け防止規制部を、前記釣糸案内部６７を規定する一対の上下壁６７ａの形状によって構成している。具体的には、図５〜図８に示すように、糸抜け防止規制部９０は、上下壁６７ａの上端位置６７Ａと下端位置６７Ｂとの間をスプール側に向けて湾曲させることで構成されており、釣糸巻き取り時に、釣糸案内部６７に対して左右方向に斜めの横向きの負荷が作用しても、そのような湾曲（くびれ）によって、前方に張り出した状態にある上端位置６７Ａを通過し難くし開口部６８へ抜けないようにしている。
【００３６】
この場合、糸抜け防止規制部９０は、上下壁６７ａの上端位置６７Ａと下端位置６７Ｂとを結ぶ線分に対し、スプール側に向けてくびれが形成されて、釣糸巻き取り時において、上端位置６７Ａが前方に張り出した状態になっていれば良く、上端位置６７Ａと下端位置６７Ｂとの間は、直線状にくびれていても良い。すなわち、糸抜け防止規制部９０の形状については種々変形することが可能である。ただし、本実施形態のように、湾曲面で構成することにより、釣糸に対する摺動抵抗が軽減され、釣糸を傷つけることが防止できる。さらに、上下壁６７ａの前端面６７Ｃについては、両サイドに湾曲した面で構成することが好ましく、これにより、釣糸に横向きの大きい負荷が作用して、釣糸が上下壁を抱きつくように密着しても釣糸を傷つけることが効果的に防止できる。
【００３７】
前記本体部６０Ｂは、上述したように、樹脂材等によって一体形成されており、前記フレーム体６０Ｆとは別体として構成されている。すなわち、釣糸案内体６０は、異なる材料によって形成されたフレーム体６０Ｆ（釣糸挿通部６０Ａ）と本体部６０Ｂが分割して一体化されており、これにより、釣糸案内体６０は、全体として軽量化を図りつつ、コストの低減を図っている。
【００３８】
前記本体部６０Ｂと釣糸挿通部６０Ａは、それぞれを別体として形成しておき、これらを一体化（接着等による一体化）しても良いが、本実施形態では、両者は着脱可能に一体化されている。具体的には、本体部６０Ｂに、フレーム体を受ける受け部６１ｄを形成すると共に、釣糸挿通部６０Ａ（フレーム体６０Ｆ）に受け部６１ｄに当て付いて位置決めされる当接部６７ｄを形成している。この場合、当接部６７ｄは、前記釣糸案内部６７を規定する両壁６７ａの下面によって構成され、受け部６１ｄは、そのような下面が当て付く面として構成され、両者は互いに面接する平坦面として形成されている。また、受け部６１ｄには、嵌合穴６１ｅが形成され、当接部６７ｄには、嵌合穴６１ｅに嵌合する嵌合突部６７ｅが形成されている。そして、本体部６０Ｂには、前記挿通孔６１ｂと平行となるようにビス孔６１ｆが形成されており、係合突起６７ｅにも、係合突起６７ｅを嵌合穴６１ｅに嵌め込んだ際、ビス孔６１ｆと同軸上にビス孔６７ｆが形成されている。
【００３９】
これにより、釣糸挿通部６０Ａの係合突起６７ｅを、本体部６０Ｂの嵌合穴６１ｅに嵌め込み（図８及び図９の矢印参照）、当接部６７ｄを受け部６１ｄに当て付けて両者を位置決めした状態で、固定部材（ビス）６０Ｃを螺入することで、釣糸挿通部６０Ａと本体部６０Ｂは、着脱可能に一体化される。すなわち、本実施形態の釣糸挿通部６０Ａは、本体部６０Ｂに対して容易に着脱することが可能となっている。
【００４０】
次に、上述したように構成される魚釣用リールの作用、及び効果について説明する。  
図２及び図５に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図３に示す状態に保持される。このとき、クラッチプレート２５の表面に形成されたカム面２６がヨーク２２を軸方向にシフトさせ、ピニオン１２をスプール軸５から離脱させる（クラッチＯＦＦ状態）。また、この操作によるクラッチプレート２５の回動に伴って、前記回動プレート５９は、ウォームシャフト５１の軸芯を中心に回動され、これに回り止めされている管状体５５は、図２（図５）に示す位置から、図３（図６）に示す位置に回動される。
【００４１】
したがって、前記釣糸案内体６０は、管状体５５に保持されていることから、図５に示す状態から、図６に示すように回動される。そして、このように回動された釣糸案内体６０は、スプール５Ａがフリー回転可能な状態（釣糸放出状態）となっており、前記釣糸案内部６７に入り込んでいる釣糸Ｓは、規制部６９による規制が外れ、開口部６８に移動する。通常、釣糸放出状態では、スプール５Ａに対する釣糸の巻回量が多いため、規制部６９の規制が外れることで、釣糸は、直ちに開口部６８に移動することができる。
【００４２】
この状態で、スプール５Ａはフリー回転可能となっており、キャスティング操作等により、釣糸Ｓは放出される。この場合、釣糸案内体６０は、スプール５Ａの前方において、図６に示す状態に回動されており、その開口部６８は、左右方向に幅広状に形成されていることから、その内面から接触抵抗を受けることが少なくなり、仕掛けの飛距離を低下させるようなことはない。すなわち、釣糸を放出する際に、釣糸案内体６０からの放出抵抗を軽減することが可能となる。
【００４３】
そして、クラッチ機構２０をＯＮ復帰させるべく、ハンドル８を巻き取り操作すると、前記自動復帰機構３０によって、クラッチプレート２５は、図２に示す位置に自動復帰する。このクラッチプレート２５のＯＮ状態の復帰に伴って、管状体５５は、前記回動プレート５９を介して、図２及び図５に示す状態に回動され、釣糸案内体６０は、図５に示す位置に切り換えられる。このとき、前記開口部６８のいずれかの部分に位置している釣糸は、回動する規制部６９が当て付いて押し付けられ、開口部６８の傾斜案内面６８ａに沿って確実に中央に位置する釣糸案内部６７に案内される。また、釣糸巻き取り状態では、釣糸は、規制部６９によって釣糸案内部６７から離脱することはない。
【００４４】
その後、ハンドル８を巻き取り操作することで、上記したレベルワインド装置５０のウォームシャフト５１は、ハンドル軸８ａに設けられた連結ギア、及びこれに噛合する入力ギア５３を介して回転駆動される。前記ウォームシャフト５１が回転駆動されることで、釣糸案内体６０は、ウォームシャフト５１の外周面に形成された螺旋溝５１ａと係合する摺動子６２を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００４５】
そして、上記したような釣糸巻き取り状態において、図１０及び図１１に示すように、釣糸案内部６７に位置している釣糸Ｓが、釣竿の操作等によって、Ｘで示す前後方向に対して左右方向の斜め横向きになっても、上述したように、釣糸Ｓは、湾曲面で構成される糸抜け防止規制部９０によって、前方に張り出した状態になっている上端位置６７Ａを通過することができなくなって上方への移動（開口部６８への移動）が規制されるため、釣糸Ｓが開口部６８へ抜けるようなことは無い。このため、図１０に示すような状態でも、釣糸Ｓは、常に、幅狭の釣糸案内部６７内に位置した状態でスプールに巻回されることから、スプールに対して偏りが生じることなく安定した巻回を維持することができ、次の釣糸放出時に、釣糸同士の抵抗が作用することなく、飛距離を低下させるようなこともない。
【００４６】
また、上記した釣糸案内体６０は、釣糸挿通部６０Ａと本体部６０Ｂが分割して一体化されており、釣糸挿通部６０Ａは釣糸抵抗の軽減が図れる硬質の金属材で、本体部６０Ｂは軽量化が図れる樹脂材で形成されて釣糸案内体の構成材料を効果的に使い分けしているため、コストダウンが図れ、全体的に軽量化を図ることが可能となる。特に、本実施形態の釣糸挿通部６０Ａと本体部６０Ｂは、固定部材（ビス）６０Ｃ等によって、互いに着脱可能に一体化されているため、修理や糸種、用途に応じて釣糸挿通部６０Ａのみを容易に交換することが可能となり、経済的でコストダウンを図ることができる。
【００４７】
以上、本発明の実施形態について説明したが、本発明は、上記した実施形態に限定されることはなく、種々変形することが可能である。
【００４８】
上記した実施形態では、釣糸案内体６０は、スプールの前方で回動するように支持されていたが、回動しない構成であっても良い、すなわち、クラッチ機構のＯＮ／ＯＦＦ動作に連動するピラーによって、釣糸巻き取り時に釣糸を開口部から釣糸案内部に移動させる構成であっても良い。
【００４９】
また、釣糸案内体６０については、上述した実施形態のように、スプールの前方で前後方向に回動駆動するのであれば、回動軸芯（ウォームシャフト５１の中心）からの距離や管状体５５の回動する角度に応じて下方にシフトさせる距離を適宜調整することができるため、規制部６９については、平坦状になったフレーム体６０Ｆの上壁６８ｂの後端縁で形成しなくても良い。すなわち、規制部については、釣糸挿通部６０Ａを構成するフレーム体６０Ｆのいずれかの部分を屈曲形成するなど、その形状については適宜変形することが可能である。
【００５０】
また、釣糸挿通部６０Ａと本体部６０Ｂは、一体化された構成でも良い。この場合、本実施形態のように、両者を着脱可能に構成する場合、その着脱構造については、適宜変形することが可能である。上記した実施形態では、本体部６０Ｂの受け部６１ｄと釣糸挿通部６０Ａの当接部６７ｄを平坦面としたが、例えば、両者を凹凸形状にしても良いし、いずれかを弾性変形させて一体化したり、圧入するような構成であっても良い。このような構成によれば、ビス等を用いる必要がなく、着脱操作を容易に行なうことが可能となる。
【００５１】
さらに、釣糸挿通部の釣糸と接触する部分には、耐摩耗性を有すると共に、摺動抵抗の少ない部材（釣糸接触部材）を取着しておいても良い。特に、釣糸案内部６７を規定する一対の上下壁６７ａは、上述したように、釣糸Ｓが左右に向くと大きな摺動抵抗となるため、釣糸挿通部６０Ａについては、摺動抵抗が少ない素材で形成したり、表面処理を施すことが好ましい。このような構成により、釣糸放出時や釣糸巻き取り時に釣糸が接触しても、切れることを防止でき、かつ接触抵抗を更に軽減することが可能となる。
【符号の説明】
【００５２】
１  リール本体
１Ａ，１Ｂ  左右側板
５  スプール軸
５Ａ  スプール
２０  クラッチ機構
５０  レベルワインド装置
５５  管状体
６０  釣糸案内体
６０Ａ  釣糸挿通部
６０Ｂ  本体部
６７  釣糸案内部
６８  開口部
９０  糸抜け防止規制部
【図１】
2015109818.tif 000003
【図２】
2015109818.tif 000004
【図３】
2015109818.tif 000005
【図４】
2015109818.tif 000006
【図５】
2015109818.tif 000007
【図６】
2015109818.tif 000008
【図７】
2015109818.tif 000009
【図８】
2015109818.tif 000010
【図９】
2015109818.tif 000011
【図１０】
2015109818.tif 000012
【図１１】
2015109818.tif 000013